(57)【要約】【課題】  携帯型機器との連結操作を、ワンタッチで簡単、迅速にでき、使い勝手が良くなるよう形成した携帯型機器の盗難防止用施錠具を提供する。【解決手段】  差し込み部５の先端５ａを、シリンダ錠３の側面視で略矢印状に形作る。シリンダ錠３の後部に、差し込み部５をロック孔４ａに差し込むと動作片７を復帰させて差し込み部５の先端５ａをシリンダ錠３の側面視で略矢印状に復元し、差し込み部５を携帯型機器４に連結するバネ９を収納する。解除機構６を、ロータ３ａと一緒に回転するカム部材で形成する。このカム部材を、動作片７の基端７２の間に、この基端７２に外周面を係合させて設ける。このカム部材を、シリンダ錠３の開錠時にロータ３ａと一緒にバネ９の力に抗して回転すると、係止部７１が互いに接近する方向に移動し、係止部７１とロック孔４ａとの係止状態が解除される。【選択図】      図１
2007154520.tif 000002
【特許請求の範囲】
【請求項１】
一端が固定物に連結されるケーブルと、このケーブルの他端に接続されているシリンダ錠とで形成され、このシリンダ錠が、携帯型機器の筺体のロック孔に差し込まれる差し込み部と、この差し込み部と携帯型機器との連結状態を解除するための解除機構とを備え、上記の差し込み部が、シリンダ錠のロータの軸方向と直交する方向に互いに接離動作する一対の動作片で形成され、この各動作片の先端に、ロック孔の内側の周縁部に係止する係止部が、動作片の接離動作する方向において外側に突き出されて形成されている携帯型機器の盗難防止用施錠具であって、上記の差し込み部の先端が、差し込み方向に向かって係止部がテーパーに形成されることによりシリンダ錠の側面視で略矢印状に形作られ、上記のシリンダ錠の後部に、差し込み部をロック孔に差し込むと動作片を復帰させて差し込み部の先端をシリンダ錠の側面視で略矢印状に復元し、差し込み部を携帯型機器に連結するバネが収納され、上記の解除機構が、ロータの後端に接続されてロータと一緒に回転するカム部材で形成され、このカム部材が、シリンダ錠内に離間状に配置されている動作片の基端の間に、この基端に外周面を係合させて設けられ、このカム部材が、シリンダ錠の開錠時にロータと一緒にバネの力に抗して回転すると、動作片と共に係止部が互いに接近する方向に移動して係止部とロック孔との係止状態が解除されることを特徴とする携帯型機器の盗難防止用施錠具。
【請求項２】
請求項１記載の携帯型機器の盗難防止用施錠具であって、差し込み部が、一対の板状の動作片と、この動作片の間に動作片と接して挟まれている板状の固定片とで形成され、動作片と固定片のシリンダ錠内の位置に、バネの収納孔が窓状に形成され、この各収納孔が作る空間部に、この空間部の板厚方向の幅とバネ径が略一致するバネが、バネ圧方向を動作片の移動方向に一致させて収納されていることを特徴とする携帯型機器の盗難防止用施錠具。
【請求項３】
請求項２記載の携帯型機器の盗難防止用施錠具であって、固定片のシリンダ錠内の位置に、動作片を案内するピン状の案内部材が、固定片の両面に、バネの収納孔を挟んで夫々一対づつ突き出されて設けられ、このピン状の案内部材が通されるガイド部が、動作片に、動作片の移動方向に延びて細長い孔状に形成されていることを特徴とする携帯型機器の盗難防止用施錠具。
【請求項４】
請求項１乃至３の何れかに記載の携帯型機器の盗難防止用施錠具であって、シリンダ錠のロータの軸方向と直交する方向のカム部材の断面が、楕円形に形成されていることを特徴とする携帯型機器の盗難防止用施錠具。
【発明の詳細な説明】
【技術分野】
【０００１】
本発明は、例えばノート型パソコン等の携帯型機器の盗難防止用施錠具に関し、更に詳しくは量販店の店頭等においてノート型パソコン等の盗難を防止するための携帯型機器の盗難防止用施錠具に関するものである。
【背景技術】
【０００２】
従来この種の盗難防止用施錠具としては、例えば机の脚等に固定するワイヤーを接続した外筒に、ノート型パソコン等に設けた長方形の孔に係止する、固定ストッパーと摺動ストッパーとを重ねて突出させ、外筒内のシリンダーに鍵を差し込んで回すことにより、摺動ストッパーを移動させて上記の長方形の孔に係止させるよう、構成しているものがある（例えば特許文献１参照）。
【０００３】
ところでこの種の施錠具は、ノート型パソコン等の筺体に形成されている長方形のロック孔を利用し、携帯型機器を机の脚等の固定物に連結するものである。従ってこの種の施錠具は、ロック孔に、シリンダ錠の差し込み部を差し込むことにより、簡単、迅速に携帯型機器を固定物に連結できるよう形成されているのが望ましい。
しかるに従来品は、上記の通り、固定ストッパーと摺動ストッパーをロック孔に差し込んだ後、鍵をシリンダー（ロータ）に差し込んで回し、摺動ストッパーを移動させてロック孔に係止し、また連結を解除するときは同様に、鍵をシリンダーに差し込んで逆方向に回して係止状態を解く必要があった。
従って従来品によると、連結操作に煩わしさを伴い、迅速にできず、使い勝手が悪い、という問題点があった。
【特許文献１】実用新案登録第３０６２０１０号公報
【発明の開示】
【発明が解決しようとする課題】
【０００４】
本発明は、このような従来技術の問題点に鑑み、提案されたものである。
従って本発明の解決しようとする技術的課題は、携帯型機器との連結操作を、ワンタッチで簡単、迅速にでき、使い勝手が良くなるよう形成した携帯型機器の盗難防止用施錠具を提供することにある。
【課題を解決するための手段】
【０００５】
本発明は、上記の課題を解決するため、次のような技術的手段を採る。
即ち本発明は、図１等に示されるように、一端１ａが固定物２に連結されるケーブル１と、このケーブル１の他端１ｂに接続されているシリンダ錠３とで形成され、このシリンダ錠３が、携帯型機器４の筺体のロック孔４ａに差し込まれる差し込み部５と、この差し込み部５と携帯型機器４との連結状態を解除するための解除機構６とを備え、上記の差し込み部５が、シリンダ錠３のロータ３ａの軸方向と直交する方向に互いに接離動作する一対の動作片７で形成され、この各動作片７の先端に、ロック孔４ａの内側の周縁部に係止する係止部７１が、動作片７の接離動作する方向において外側に突き出されて形成されている携帯型機器４の盗難防止用施錠具であって、上記の差し込み部５の先端５ａが、差し込み方向に向かって係止部７１がテーパーに形成されることによりシリンダ錠３の側面視で略矢印状に形作られ、上記のシリンダ錠３の後部に、差し込み部５をロック孔４ａに差し込むと動作片７を復帰させて差し込み部５の先端５ａをシリンダ錠３の側面視で略矢印状に復元し、差し込み部５を携帯型機器４に連結するバネ９が収納され、上記の解除機構６が、ロータ３ａの後端に接続されてロータ３ａと一緒に回転するカム部材で形成され、このカム部材が、シリンダ錠３内に離間状に配置されている動作片７の基端７２の間に、この基端７２に外周面を係合させて設けられ、このカム部材が、シリンダ錠３の開錠時にロータ３ａと一緒にバネ９の力に抗して回転すると、動作片７と共に係止部７１が互いに接近する方向に移動して係止部７１とロック孔４ａとの係止状態が解除されることを特徴とする（請求項１）。
【０００６】
本発明の場合、ケーブル１は、針金等を撚り合わせたものや、外被をかぶせたものには限られず、その他、例えば金属線材や樹脂線材、或いは綱なども含まれる。またここで、係止部７１がテーパーに形成されることによりシリンダ錠３の側面視で略矢印状に形作られ、とは、差し込み部５の先端５ａをロック孔４ａに差し込むと、動作片７がロック孔４ａの、例えば上下の口縁で押されて徐々に互いに接近するよう移動し、係止部７１がロック孔４ａを介して筺体内に完全に入ると、バネ９の復元力で係止部７１が復帰し、係止部７１がロック孔４ａの内側の周面に係止するよう、先細り状に形成されている、ということを意味する。従って本発明の場合、係止部７１のテーパーは、ロック孔４ａに差し込み易くなるよう形成されているのであれば、傾斜面には限られず、例えば円弧状に形成されているのでも良い。また本発明の場合、バネ９は、コイルバネや板バネで構成され、コイルバネの場合は圧縮型でも牽引型でも良い。
【０００７】
而して本発明の場合、差し込み部５が、一対の板状の動作片７と、この動作片７の間に動作片７と接して挟まれている板状の固定片８とで形成され、動作片７と固定片８のシリンダ錠３内の位置に、バネ９の収納孔１０が窓状に形成され、この各収納孔１０が作る空間部Ｓに、この空間部Ｓの板厚方向の幅とバネ径が略一致するバネ９が、バネ圧方向を動作片７の移動方向に一致させて収納されているのが好ましい（請求項２）。
なぜならこれによると、差し込み部５が、動作片７と固定片８とで、三層に重合されて形成されるため、強度を保ちながら、差し込み部５を、ロック孔４ａに差し込み易くなるよう薄くできるからである。またこの場合は、動作片７が固定片８に接して摺動するため、動作片７の動きを安定化でき、更にはバネ９が１個で済むため、組立てコストや部品コストを低廉化できるからである。
【０００８】
またこの本発明の場合は、固定片８のシリンダ錠３内の位置に、動作片７を案内するピン状の案内部材１１が、固定片８の両面に、バネ９の収納孔１０を挟んで夫々一対づつ突き出されて設けられ、このピン状の案内部材１１が通されるガイド部１２が、動作片７に、動作片７の移動方向に延びて細長い孔状に形成されているのが好ましい（請求項３）。
なぜならこれによると、案内部材１１によって動作片７を安定した状態で移動させることができるからである。ここで、細長い孔状とは、ピン状の案内部材１１の直径より僅かに大きい幅の、溝状或いは長孔状に形成されている、ということを意味する。
【０００９】
また請求項１乃至３の何れかに記載の本発明は、シリンダ錠３のロータ３ａの軸方向と直交する方向のカム部材の断面が、楕円形に形成されているのが好ましい（請求項４）。
なぜならこれによると、キー１３を正逆方向の何れの方向に回しても、動作片７を、互いに接近する方向に移動させて、ロック孔４ａと係止部７１との連結を解除でき、使い勝手が良くなるからである。
【発明の効果】
【００１０】
本発明は、このように差し込み部の先端を略矢印状に形作り、この差し込み部をロック孔に差し込むと動作片を復帰させ、差し込み部の先端を略矢印状に復元して差し込み部を携帯型機器に連結するバネをシリンダ錠の後部内に設け、また連結状態を解除する解除機構をカム部材で形成し、このカム部材を動作片の基端の間に、この基端に外周面を係合させて設け、カム部材がロータと一緒に回転すると、動作片を互いに接近する方向に移動させ、係止部とロック孔との係止状態を解除できるよう形成しているものである。
従って本発明は、使用者が差し込み部をロック孔に、単に、差し込むことにより、ワンタッチで携帯型機器を固定物に連結でき、ロック状態を解除するときだけ、キーを使用してシリンダ錠を開錠操作することで済む。それ故これによると、携帯型機器との連結操作を、簡単、迅速、且つ楽に行うことができる。
【発明を実施するための最良の形態】
【００１１】
以下、本発明を実施するための最良の形態を説明する。
本発明は、図１等に示されるように、一端１ａが固定物２に連結されるケーブル１と、このケーブル１の他端１ｂに接続されているシリンダ錠３とで形成されている。ケーブル１は、撚り合わされたワイヤーが樹脂細管に収納されて構成され、一端１ａは輪状に形成されている。シリンダ錠３は、携帯型機器４の筺体のロック孔４ａに差し込まれる差し込み部５と、この差し込み部５と携帯型機器４との連結状態を解除するための解除機構６とを備えて形成されている。
【００１２】
上記の差し込み部５は、シリンダ錠３のロータ３ａ（キー差し込み孔を有する回転円筒部材）の軸方向と直交する方向に互いに接離動作する一対の板状の動作片７と、この動作片７の間に動作片７と接して挟まれている板状の固定片８とで形成されている。各動作片７の先端には、ロック孔４ａの内側の周面に係止する係止部７１が、動作片７の接離動作する方向において外側に突き出されている。具体的には、図４、図１１等において、手前側の動作片７の係止部７１は、固定片８の突き出し部８ａの下辺より下方に突き出され、奥側の動作片７の係止部７１は、固定片８の突き出し部８ａの上辺より上方に突き出されている。そして差し込み部５の先端５ａは、各動作片７の係止部７１が差し込み方向に向かって先細り状の傾斜面に形成されることにより、シリンダ錠３の側面視で略矢印状に形作られている。
【００１３】
また本発明は、上記のシリンダ錠３の後部に、差し込み部５をロック孔４ａに差し込むと動作片７を復帰させて差し込み部５の先端５ａをシリンダ錠３の側面視で略矢印状に復元し、差し込み部５を携帯型機器４に連結するバネ９が収納されている。このバネ９は、この実施形態では円筒形の圧縮コイルバネで構成されている。動作片７と固定片８は、図９、図１０等に示されるように、シリンダ錠３内の位置に、バネ９の収納孔１０が窓状に形成されている。この収納孔１０は、同図に示されるように、動作片７、固定片８の各突き出し部７ａ、８ａと直交する本体部７ｂ、８ｂに、この実施形態では縦長の長方形に形成されている。バネ９は、図３、図４等に示されるように、各収納孔１０が作る空間部Ｓの板厚方向の幅とバネ径が略一致する太さに形成されている。そしてこのバネ９は、空間部Ｓに、バネ圧方向を動作片７の移動方向に一致させ、例えば手前側の動作片７は常に下方に弾発状に、また奥側の動作片７は常に上方に弾発状に収納されている。この場合、手前側の動作片７は、後述する、上側の案内部材１１に、ガイド部１２の上端が係止することにより、下方への移動が防止され、また奥側の動作片７は、下側の案内部材１１に、ガイド部１２の下端が係止することにより、上方への移動が防止されている。また図１０に示されるように、動作片７の突き出し部７ａの縦幅Ｄ１と、固定片８の突き出し部８ａの縦幅Ｄ２は、ロック孔４ａの縦の長さより小さく選定されている。そして縦幅Ｄ１、Ｄ２は、開錠時に動作片７が互いに接近する方向に移動すると、縦幅Ｄ１、Ｄ２の高さが揃うよう、同寸状に形成されている。
【００１４】
またこの実施形態に係る本発明は、固定片８のシリンダ錠３内の位置に、動作片７を案内するピン状の案内部材１１が、固定片８の両面に、バネ９の収納孔１０を挟んで夫々一対づつ突き出されている。この案内部材１１は、この実施形態では固定片８のピン孔８ｃ（図９、図１０参照）に通されて設けられている。そして固定片８は、この案内部材１１を介してシリンダ錠３の後部に固定されている。またこの案内部材１１が通されて係合するガイド部１２が、動作片７に、動作片７の移動方向に延びて細長い孔状に形成されている。この実施形態の場合、ガイド部１２は、ピン状の案内部材１１の直径より僅かに大きい幅に形成され、一方は収納孔１０から切り欠かれて溝状に、他方は長孔状に形成されている。
【００１５】
また上記の解除機構６は、ロータ３ａの後端に接続されてロータ３ａと一緒に回転するカム部材で形成されている。この解除機構６としてのカム部材は、シリンダ錠３内に離間状に配置されている動作片７の基端７２の間に、この基端７２に外周面を係合させて設けられている。基端７２と、上記の係止部７１の高さは、大きく違えて形成されている。またカム部材は、この実施形態ではロータ３ａの軸方向と直交する方向の断面が、楕円形に形成され、ロータ３ａの後端の径が縮小された突部３ｂに被せられてロータ３ａに一体状に設けられている。そして本発明は、この解除機構６としてのカム部材が、シリンダ錠３の開錠時に、ロータ３ａと一緒にバネ９の力に抗して回転すると、動作片７と共に係止部７１が互いに接近する方向に移動して係止部７１とロック孔４ａとの係止状態が解除されるものである。
【００１６】
次に本発明の作用を説明する。
先ず使用者は、図１等に示されるように、ケーブル１の一端１ａを机の脚等の固定物２に固定し、次にシリンダ錠３を把持して差し込み部５を携帯型機器４のロック孔４ａに差し込む。動作片７は、差し込むのに連れ、ロック孔４ａの上下の口縁で押されて互いに接近するよう、徐々に移動する。そして係止部７１が、ロック孔４ａを介して筺体内に完全に入ると、動作片７はバネ９の復元力で当初の矢印形に復元し、係止部７１がロック孔４ａの内側の周面に係止する。これにより本発明品を介して携帯型機器４が固定物２に連結される。
【００１７】
而して本発明品と携帯型機器４との連結を解除する場合は、先ずキー１３（図２等参照）をシリンダ錠３のロータ３ａの鍵孔に差し込み、ロータ３ａを回して開錠する。すると、ロータ３ａと一緒に解除機構６としてのカム部材が回り、図５等に示されるように、動作片７の基端７２同士の間隔が押し広げられる。このとき、図６、図８等において、手前側の動作片７は、バネ９を圧縮させながら上方に移動し、上辺が固定片８の突き出し部８ａの上辺の位置まで引き上げられる。また奥側の動作片７は、バネ９を圧縮させながら下方に移動し、下辺が固定片８の下辺と一致する位置まで引き下げられる。これにより、各動作片７の係止部７１が固定片８の突き出し部８ａの縦幅Ｄ２内に収まるため、差し込み部５の引き抜きが可能になり、差し込み部５と携帯型機器４との連結を解除できる。
【００１８】
以上の処において、本発明は、バネ９を各動作片７ごと設けるのでも良く、バネ９の個数、種類、配置箇所などは任意である。また本発明は、上例の案内部材１１に代え、シリンダ錠３の後部内に、動作片７や固定片８を案内するガイド溝が形成されることにより、実現されるのでも良い。更に本発明は、上記の固定片８が省略されているのでも良い。
【図面の簡単な説明】
【００１９】
【図１】本発明の施錠具の好適な一実施形態を示す要部断面図である。
【図２】同上施錠具の通常時の要部斜視図である。
【図３】図１のＩＩＩ−ＩＩＩ線における要部拡大断面図である。
【図４】同上施錠具の差し込み前の通常時の要部斜視図である。
【図５】同上施錠具の開錠時の要部断面図である。
【図６】同上施錠具の開錠時の要部斜視図である。
【図７】図５のＶＩＩ−ＶＩＩ線における要部拡大断面図である。
【図８】同上施錠具の開錠時の要部斜視図である。
【図９】動作片、固定片、バネの分解斜視図である。
【図１０】Ａは手前側の動作片の側面図、Ｂは固定片の側面図、Ｃは奥側の動作片の側面図である。
【図１１】同上施錠具の通常時の状態を示し、Ａはシリンダ錠の背面図、Ｂはシリンダ錠の右側面から見た要部断面図、Ｃは左側面から見た要部断面図である。
【図１２】同上施錠具の開錠時の状態を示し、Ａはシリンダ錠の背面図、Ｂはシリンダ錠の右側面から見た要部断面図、Ｃは左側面から見た要部断面図である。
【符号の説明】
【００２０】
１      ケーブル
１ａ    一端
１ｂ    他端
２      固定物
３      シリンダ錠
３ａ    ロータ
４      携帯型機器
４ａ    ロック孔
５      差し込み部
５ａ    先端
６      解除機構
７      動作片
７１    係止部
７２    基端
９      バネ
【図１】
2007154520.tif 000003
【図２】
2007154520.tif 000004
【図３】
2007154520.tif 000005
【図４】
2007154520.tif 000006
【図５】
2007154520.tif 000007
【図６】
2007154520.tif 000008
【図７】
2007154520.tif 000009
【図８】
2007154520.tif 000010
【図９】
2007154520.tif 000011
【図１０】
2007154520.tif 000012
【図１１】
2007154520.tif 000013
【図１２】
2007154520.tif 000014